(57)【要約】【課題】従来技術よりも広告効果を高めることが可能な広告再生装置、楽曲再生装置と広告再生装置とを含むシステム、及び広告再生方法を提供する。【解決手段】カラオケ装置２は、広告文字コンテンツリストに基づいて、再生される楽曲に広告文字コンテンツが関連付けられていると判断し、且つ、再生される楽曲に従って表示される背景映像が再生される楽曲の歌手に関連する関連映像であると判断した場合、この関連映像に広告文字コンテンツの文字テロップを重ねて表示させる。【選択図】図４
2014048518.tif 000002
【特許請求の範囲】
【請求項１】
楽曲再生装置により再生される楽曲に従って、複数の楽曲の再生時に表示する汎用映像と、再生される楽曲の歌手に関連する関連映像とのいずれかの映像を表示させる第１表示制御手段と、
前記第１表示制御手段に従って表示される前記映像が、前記関連映像であるかを判断する第１判断手段と、
前記楽曲再生装置により再生される楽曲に、前記楽曲と関連する広告の文字テロップを含む広告コンテンツが関連付けられているかを判断する第２判断手段と、
前記第１判断手段により、前記第１表示制御手段により表示される前記映像が、前記再生される楽曲の前記関連映像であると判断され、且つ前記第２判断手段により、前記再生される楽曲に広告コンテンツが関連付けられていると判断された場合、前記関連映像に、前記広告コンテンツの文字テロップを重ねて表示させる第２表示制御手段と、
を備えることを特徴とする広告再生装置。
【請求項２】
前記第１表示制御手段により、前記再生される楽曲に従って、前記汎用映像が、楽曲再生装置と接続される第１表示部に表示され、
前記第２表示制御手段は、前記第１判断手段により、前記映像が前記再生される楽曲の前記関連映像であると判断されず、且つ前記第２判断手段により、前記再生される楽曲の前記広告コンテンツが関連付けられていると判断された場合、前記汎用映像が表示される第１表示部とは異なる第２表示部に、前記関連映像に、前記広告コンテンツの文字テロップを重ねて表示させることを特徴とする請求項１に記載の広告再生装置。
【請求項３】
前記広告再生装置は、前記再生される楽曲の再生時間を示す再生時間情報を、所定のタイミングで取得する第１取得手段をさらに備え、
前記第２表示制御手段は、前記第１判断手段により、前記映像が前記再生される楽曲の前記関連映像であると判断されず、且つ前記第２判断手段により、前記再生される楽曲に前記広告コンテンツが関連付けられていると判断された場合、前記第１取得手段により取得された前記再生時間情報に従って、前記楽曲の再生が終了された後に、前記関連映像を表示させると共に、前記関連映像に、前記広告コンテンツの文字テロップを重ねて表示させることを特徴とする請求項１または請求項２に記載の広告再生装置。
【請求項４】
前記広告再生装置は、前記再生される楽曲の再生時間を示す再生時間情報を取得する第１取得手段と、
前記第１取得手段により取得される前記再生時間情報に従って、前記楽曲の前奏、間奏、または後奏のタイミングを決定する決定手段と、
をさらに備え、
前記第２表示制御手段は、前記第１判断手段により、前記再生される楽曲の前記関連映像であると判断され、且つ前記第２判断手段により、前記広告コンテンツが関連付けられていると判断された場合、前記第１取得手段により取得された前記再生時間情報に従って前記決定手段により決定された前記楽曲の前奏、間奏、または後奏のタイミングであるときに、前記関連映像に、前記広告コンテンツの文字テロップを重ねて表示させることを特徴とする請求項１に記載の広告再生装置。
【請求項５】
前記広告コンテンツは、広告を表示させる対象地域が関連付けられた広告テロップを含み、
前記広告再生装置は、前記広告再生装置の所在地を示す所在地情報を取得する第２取得手段をさらに備え、
前記第２表示制御手段は、前記第２取得手段により取得された所在地情報が示す所在地に対応する対象地域が関連付けられた広告テロップを、前記関連映像に重ねて表示させることを特徴とする請求項１ないし請求項４のいずれか一項に記載の広告再生装置。
【請求項６】
前記広告再生装置は、カラオケ楽曲を再生する楽曲再生手段をさらに備えるカラオケ装置であることを特徴とする請求項１ないし請求項５のいずれか一項に記載の広告再生装置。
【請求項７】
再生される楽曲に従って、複数の楽曲の再生時に表示する汎用映像と、再生される楽曲の歌手に関連する関連映像とのいずれかの映像を表示させる楽曲再生装置により前記再生される前記楽曲の識別情報を取得する取得手段と、
前記楽曲再生装置により表示される前記映像が、前記関連映像であるかを判断する第１判断手段と、
前記取得手段により取得された前記識別情報が示す楽曲に、前記楽曲と関連する広告の文字テロップを含む広告コンテンツが関連付けられているかを判断する第２判断手段と、
前記第１判断手段により、前記楽曲再生装置により表示される前記映像が、前記再生される楽曲の前記関連映像でないと判断され、且つ前記第２判断手段により、前記再生される楽曲に広告コンテンツが関連付けられていると判断された場合、前記関連映像を表示させると共に、前記関連映像に、前記広告コンテンツの文字テロップを重ねて表示させる表示制御手段と、
を備えることを特徴とする広告再生装置。
【請求項８】
楽曲を再生する楽曲再生装置と、広告を表示する広告再生装置とを含むシステムであって、
前記楽曲再生装置は、
楽曲を再生する楽曲再生手段と、
前記楽曲再生手段により再生される楽曲に従って、複数の楽曲の再生時に表示する汎用映像と、再生される楽曲の歌手に関連する関連映像とのいずれかの映像を表示させる第１表示制御手段と、
を備え、
前記広告再生装置は、
前記楽曲再生装置により前記再生される前記楽曲の識別情報を取得する取得手段と、
前記楽曲再生装置により表示される前記映像が、前記関連映像であるかを判断する第１判断手段と、
前記取得手段により取得された前記識別情報が示す楽曲に、前記楽曲と関連する広告の文字テロップを含む広告コンテンツが関連付けられているかを判断する第２判断手段と、
前記第１判断手段により、前記楽曲再生装置により表示される前記映像が、前記再生される楽曲の前記関連映像でないと判断され、且つ前記第２判断手段により、前記再生される楽曲に広告コンテンツが関連付けられていると判断された場合、前記関連映像を表示させると共に、前記関連映像に、前記広告コンテンツの文字テロップを重ねて表示させる第２表示制御手段と、
を備えることを特徴とするシステム。
【請求項９】
広告コンテンツを表示する広告再生装置により実行される広告再生方法であって、
楽曲再生装置により再生される楽曲に従って、複数の楽曲の再生時に表示する汎用映像と、再生される楽曲の歌手に関連する関連映像とのいずれかの映像を表示させる第１表示制御ステップと、
前記第１表示制御ステップに従って表示される前記映像が、前記関連映像であるかを判断する第１判断ステップと、
前記楽曲再生装置により再生される楽曲に、前記楽曲と関連する広告の文字テロップを含む広告コンテンツが関連付けられているかを判断する第２判断ステップと、
前記第１判断ステップにより、前記第１表示制御ステップにより表示される前記映像が、前記再生される楽曲の前記関連映像であると判断され、且つ前記第２判断ステップにより、前記再生される楽曲に広告コンテンツが関連付けられていると判断された場合、前記関連映像に、前記広告コンテンツの文字テロップを重ねて表示させる第２表示制御ステップと、
を含むことを特徴とする広告再生方法。
【発明の詳細な説明】
【技術分野】
【０００１】
本発明は、再生される楽曲に応じた広告コンテンツを再生させる装置及び方法等の技術分野に関する。
【背景技術】
【０００２】
従来、例えばカラオケルームにおいて楽曲の演奏休止期間などに広告コンテンツを再生するカラオケ装置が知られている。例えば、特許文献１には、伴奏音楽の前奏中または間奏中の歌詞が付されていない情景映像が表示されているときに、宣伝広告映像を再生するカラオケ装置が開示されている。この宣伝広告映像は、画像合成により情景映像の一部に挿入されて表示されるようになっている。特許文献１に開示される情景映像は、一般に、背景映像ともいう。本明細書では「背景映像」というものとする。
【先行技術文献】
【特許文献】
【０００３】
【特許文献１】特開２００２−２９７１６５号公報
【発明の概要】
【発明が解決しようとする課題】
【０００４】
特許文献１に開示される宣伝広告映像として、例えば、再生される楽曲に関連する文字テロップを表示させることが考えられる。しかしながら、その一方で、従来のカラオケ装置では、カラオケ楽曲の再生中に表示される背景映像は、再生される楽曲に関連がない映像である場合と、楽曲に関連する映像として例えば楽曲の歌手本人の本人映像である場合とがある。宣伝広告映像が挿入される背景映像が、再生される楽曲に関連がない映像である場合、再生される楽曲に関連する文字テロップが表示される場合であっても、映像は、再生される曲と関連がないため、ユーザに対して広告効果は弱くなる。
【０００５】
そこで、本発明は、以上の点等に鑑みてなされたものであり、従来技術よりも広告効果を高めることが可能な広告再生装置、楽曲再生装置と広告再生装置とを含むシステム、及び広告再生方法を提供する。
【課題を解決するための手段】
【０００６】
上記課題を解決するために、請求項１に記載の発明は、楽曲再生装置により再生される楽曲に従って、複数の楽曲の再生時に表示する汎用映像と、再生される楽曲の歌手に関連する関連映像とのいずれかの映像を表示させる第１表示制御手段と、前記第１表示制御手段に従って表示される前記映像が、前記関連映像であるかを判断する第１判断手段と、前記楽曲再生装置により再生される楽曲に、前記楽曲と関連する広告の文字テロップを含む広告コンテンツが関連付けられているかを判断する第２判断手段と、前記第１判断手段により、前記第１表示制御手段により表示される前記映像が、前記再生される楽曲の前記関連映像であると判断され、且つ前記第２判断手段により、前記再生される楽曲に広告コンテンツが関連付けられていると判断された場合、前記関連映像に、前記広告コンテンツの文字テロップを重ねて表示させる第２表示制御手段と、を備えることを特徴とする。
【０００７】
請求項２に記載の発明は、請求項１に記載の広告再生装置において、前記第１表示制御手段により、前記再生される楽曲に従って、前記汎用映像が、楽曲再生装置と接続される第１表示部に表示され、前記第２表示制御手段は、前記第１判断手段により、前記映像が前記再生される楽曲の前記関連映像であると判断されず、且つ前記第２判断手段により、前記再生される楽曲の前記広告コンテンツが関連付けられていると判断された場合、前記汎用映像が表示される第１表示部とは異なる第２表示部に、前記関連映像に、前記広告コンテンツの文字テロップを重ねて表示させることを特徴とする。
【０００８】
請求項３に記載の発明は、請求項１または請求項２に記載の広告再生装置において、前記広告再生装置は、前記再生される楽曲の再生時間を示す再生時間情報を、所定のタイミングで取得する第１取得手段をさらに備え、前記第２表示制御手段は、前記第１判断手段により、前記映像が前記再生される楽曲の前記関連映像であると判断されず、且つ前記第２判断手段により、前記再生される楽曲に前記広告コンテンツが関連付けられていると判断された場合、前記第１取得手段により取得された前記再生時間情報に従って、前記楽曲の再生が終了された後に、前記関連映像を表示させると共に、前記関連映像に、前記広告コンテンツの文字テロップを重ねて表示させることを特徴とする。
【０００９】
請求項４に記載の発明は、請求項１に記載の広告再生装置において、前記広告再生装置は、前記再生される楽曲の再生時間を示す再生時間情報を取得する第１取得手段と、前記第１取得手段により取得される前記再生時間情報に従って、前記楽曲の前奏、間奏、または後奏のタイミングを決定する決定手段と、をさらに備え、前記第２表示制御手段は、前記第１判断手段により、前記再生される楽曲の前記関連映像であると判断され、且つ前記第２判断手段により前記広告コンテンツが関連付けられていると判断された場合、前記第１取得手段により取得された前記再生時間情報に従って前記決定手段により決定された前記楽曲の前奏、間奏、または後奏のタイミングであるときに、前記関連映像に、前記広告コンテンツの文字テロップを重ねて表示させることを特徴とする。
【００１０】
請求項５に記載の発明は、請求項１ないし請求項４のいずれか一項に記載の広告再生装置において、前記広告コンテンツは、広告を表示させる対象地域が関連付けられた広告テロップを含み、前記広告再生装置は、前記広告再生装置の所在地を示す所在地情報を取得する第２取得手段をさらに備え、前記第２表示制御手段は、前記第２取得手段により取得された所在地情報が示す所在地に対応する対象地域が関連付けられた広告テロップを、前記関連映像に重ねて表示させることを特徴とする。
【００１１】
請求項６に記載の発明は、請求項１ないし請求項５のいずれか一項に記載の広告再生装置において、前記広告再生装置は、カラオケ楽曲を再生する楽曲再生手段をさらに備えるカラオケ装置であることを特徴とする。
【００１２】
請求項７に記載の発明は、再生される楽曲に従って、複数の楽曲の再生時に表示する汎用映像と、再生される楽曲の歌手に関連する関連映像とのいずれかの映像を表示させる楽曲再生装置により前記再生される前記楽曲の識別情報を取得する取得手段と、前記楽曲再生装置により表示される前記映像が、前記関連映像であるかを判断する第１判断手段と、前記取得手段により取得された前記識別情報が示す楽曲に、前記楽曲と関連する広告の文字テロップを含む広告コンテンツが関連付けられているかを判断する第２判断手段と、前記第１判断手段により、前記楽曲再生装置により表示される前記映像が、前記再生される楽曲の前記関連映像でないと判断され、且つ前記第２判断手段により、前記再生される楽曲に広告コンテンツが関連付けられていると判断された場合、前記関連映像を表示させると共に、前記関連映像に、前記広告コンテンツの文字テロップを重ねて表示させる表示制御手段と、を備えることを特徴とする。
【００１３】
請求項８に記載の発明は、楽曲を再生する楽曲再生装置と、広告を表示する広告再生装置とを含むシステムであって、前記楽曲再生装置は、楽曲を再生する楽曲再生手段と、前記楽曲再生手段により再生される楽曲に従って、複数の楽曲の再生時に表示する汎用映像と、再生される楽曲の歌手に関連する関連映像とのいずれかの映像を表示させる第１表示制御手段と、を備え、前記広告再生装置は、前記楽曲再生装置により前記再生される前記楽曲の識別情報を取得する取得手段と、前記楽曲再生装置により表示される前記映像が、前記関連映像であるかを判断する第１判断手段と、前記取得手段により取得された前記識別情報が示す楽曲に、前記楽曲と関連する広告の文字テロップを含む広告コンテンツが関連付けられているかを判断する第２判断手段と、前記第１判断手段により、前記楽曲再生装置により表示される前記映像が、前記再生される楽曲の前記関連映像でないと判断され、且つ前記第２判断手段により、前記再生される楽曲に広告コンテンツが関連付けられていると判断された場合、前記関連映像を表示させると共に、前記関連映像に、前記広告コンテンツの文字テロップを重ねて表示させる第２表示制御手段と、を備えることを特徴とするシステム。
【００１４】
請求項９に記載の発明は、広告コンテンツを表示する広告再生装置により実行される広告再生方法であって、楽曲再生装置により再生される楽曲に従って、複数の楽曲の再生時に表示する汎用映像と、再生される楽曲の歌手に関連する関連映像とのいずれかの映像を表示させる第１表示制御ステップと、前記第１表示制御ステップに従って表示される前記映像が、前記関連映像であるかを判断する第１判断ステップと、前記楽曲再生装置により再生される楽曲に、前記楽曲と関連する広告の文字テロップを含む広告コンテンツが関連付けられているかを判断する第２判断ステップと、前記第１判断ステップにより、前記第１表示制御ステップにより表示される前記映像が、前記再生される楽曲の前記関連映像であると判断され、且つ前記第２判断ステップにより、前記再生される楽曲に広告コンテンツが関連付けられていると判断された場合、前記関連映像に、前記広告コンテンツの文字テロップを重ねて表示させる第２表示制御ステップと、を含むことを特徴とする。
【発明の効果】
【００１５】
請求項１、６〜９に記載の発明によれば、再生される楽曲の歌手に関連する関連映像が表示されているときに、この楽曲に関連する文字テロップが表示されるため、ユーザに対し広告の文字テロップに注目させることができ、広告コンテンツによる広告対象の広告効果を高めることができる。
【００１６】
請求項２に記載の発明によれば、第１表示制御手段により、再生される楽曲に従って、楽曲の歌手に関連する関連映像が表示されていない場合であっても、第２表示制御手段により、第２表示部に、再生される楽曲の関連映像に広告の文字テロップが重ねて表示されるため、ユーザに対し、再生される楽曲の歌手に関連する関連映像を利用して文字テロップに注目させることができ、広告コンテンツによる広告効果を高めることができる。
【００１７】
請求項３に記載の発明によれば、楽曲の再生が終了された後に、広告の文字テロップが表示されるため、楽曲の再生中に表示される歌詞テロップと区別して広告の文字テロップを表示することにより、ユーザに対し広告の文字テロップに注目させることができる。
【００１８】
請求項４に記載の発明によれば、楽曲の前奏、間奏、または後奏のタイミングで、関連映像に広告コンテンツの文字テロップを重ねて表示させるため、ユーザが楽曲を歌唱する合間に広告の文字テロップを表示し、広告コンテンツの広告の文字テロップをユーザに提示することができるので、ユーザに違和感を与えることなく、ユーザに対し広告の文字テロップに注目させることができる。
【００１９】
請求項５に記載の発明によれば、ユーザがいる所在地に対応した広告を表示させる対象地域の広告情報をユーザへ提示することができる。
【図面の簡単な説明】
【００２０】
【図１】本実施形態のカラオケシステムＳの概要構成例を示す図である。
【図２】（Ａ）は、予約リストに登録された情報の一例を示す図である。（Ｂ）は、広告文字コンテンツリストに登録された情報の一例を示す図である。（Ｃ）は、楽曲ＩＤ“ＶＶＶ”に関連付けられた歌詞テロップデータの一例を示す図である。（Ｄ）は、（Ｃ）に示す歌詞テロップデータに基づき作成された関連映像用の歌詞テロップデータの一例を示す図である。（Ｅ）は、所在地リストに登録された情報の一例を示す図である。
【図３】管理サーバ４の制御部４１における処理を示すフローチャートである。
【図４】カラオケ装置２の制御部２１における処理を示すフローチャートである。
【図５】広告表示端末３の制御部３１における処理を示すフローチャートである。
【発明を実施するための形態】
【００２１】
以下、本発明の実施形態を図面に基づいて説明する。なお、以下に説明する実施の形態は、例えばカラオケ店舗において利用されるカラオケシステムに対して、本発明を適用した場合の実施形態である。
【００２２】
［１．カラオケシステムの構成及び動作の概要］
始めに、図１を参照して、本実施形態のカラオケシステムの構成の概要を説明する。図１は、本実施形態のカラオケシステムＳの概要構成例を示す図である。図１に示すように、カラオケシステムＳは、選曲装置１、カラオケ装置２、広告表示端末３、及び管理サーバ４を含んで構成される。カラオケ装置２は、本発明の楽曲再生装置の一例である。広告表示端末３は、本発明の広告表示広告再生装置の一例である。選曲装置１、カラオケ装置２、及び広告表示端末３は、例えば、カラオケ店舗のカラオケルーム（客室）に設置される。選曲装置１は、例えば赤外線により同室内のカラオケ装置２と通信可能になっている。カラオケ装置２は、選曲装置１からユーザにより行われるカラオケ楽曲の再生を予約する指示を、受信する。カラオケ装置２は、選曲装置１により予約されたカラオケ楽曲を順に再生する。カラオケ装置２は、例えばＬＡＮを介して同室内の広告表示端末３と通信可能になっている。カラオケ装置２及び広告表示端末３は、ＬＡＮ及びルータを介してネットワークＮＷに接続される。ネットワークＮＷは、例えば、インターネット、携帯通信網、及びゲートウェイ等により構成される。管理サーバ４は、ネットワークＮＷに接続される。カラオケ装置２及び広告表示端末３は、ネットワークＮＷを介して管理サーバ４と通信可能になっている。また、管理サーバ４には、ネットワークＮＷを介して管理者の端末５が接続可能になっている。
【００２３】
選曲装置１は、カラオケ装置２に向けて選曲を要求する専用のリモコンである。選曲装置１は、カラオケ店舗の客室を利用するユーザが楽曲を予約するために用いられる。楽曲には、カラオケ楽曲が含まれる。カラオケ楽曲とは、基となる楽曲のボーカルパートまたはギターパートなどの所定パートを除いた曲である。ユーザが予約する楽曲は、カラオケ装置２により実行されるゲーム等のアプリケーションであってもよい。選曲装置１は、ユーザにより選曲された楽曲の予約要求をカラオケ装置２へ送信する。
【００２４】
カラオケ装置２は、ユーザにより選曲された楽曲を再生する演奏装置である。カラオケ装置２は、選曲装置１から予約要求を受信すると、楽曲の予約を受け付ける。この予約要求には、予約対象の楽曲に付与された楽曲ＩＤが含まれる。楽曲ＩＤは、楽曲を識別するための識別情報である。カラオケ装置２は、予約を受け付けた楽曲の楽曲ＩＤを予約リストに登録する。予約リストに楽曲ＩＤが登録された楽曲は、例えば予約順に再生される。
【００２５】
カラオケ装置２は、再生される楽曲に従って、楽曲の歌詞テロップと背景映像をディスプレイに表示させる。楽曲の歌詞テロップは、背景映像に重ねて表示される。背景映像には、多数の楽曲の再生時に表示される汎用映像と、再生される楽曲の歌手に関連する関連映像とがある。汎用映像は、再生される楽曲に関連付けられない映像である。汎用映像には、例えば、風景の映像や、楽曲を歌唱するユーザを撮影した映像などがある。関連映像には、例えば、再生される楽曲の歌手本人のプロモーションビデオなどの本人映像がある。同一の楽曲であっても、再生中に汎用映像が表示される場合と関連映像が表示される場合とがある。この場合、汎用映像が表示される楽曲と、関連映像が表示される楽曲とでは楽曲ＩＤが異なる。関連映像が表示される楽曲の楽曲ＩＤを、「関連映像楽曲ＩＤ」という。カラオケ装置２は、再生される楽曲について、再生中の楽曲の楽曲ＩＤを含む曲情報を記憶する。カラオケ装置２は、広告表示端末３からの要求に応じて予約リストまたは再生中の楽曲の曲情報を広告表示端末３へ送信する。予約リストには、楽曲が再生中であることを示す再生フラグ、及び背景映像が関連映像であることを示す関連映像フラグが登録されてもよい。
【００２６】
また、カラオケ装置２により再生可能な楽曲には、楽曲と関連する広告の文字テロップを含む広告コンテンツが関連付けられている場合がある。文字テロップには、例えば楽曲の歌手のコンサートなどのイベント情報が含まれる。楽曲と関連する広告の文字テロップを含む広告コンテンツを、「広告文字コンテンツ」という。広告文字コンテンツと楽曲との関連付けは、例えば広告文字コンテンツリストにより定められる。広告文字コンテンツリストは、カラオケ装置２により再生される楽曲に応じて表示させる広告文字コンテンツのリストである。広告文字コンテンツリストは、例えば管理サーバ４からネットワークＮＷを介して取得される。カラオケ装置２は、広告文字コンテンツリストに基づいて、再生される楽曲に広告文字コンテンツが関連付けられていると判断し、且つ、再生される楽曲に従って表示される背景映像が再生される楽曲の歌手に関連する関連映像であると判断した場合、この関連映像に広告文字コンテンツの文字テロップを重ねて表示させる。
【００２７】
また、広告文字コンテンツリストにより、広告文字コンテンツと、広告文字コンテンツの表示が許可されるカラオケ装置２または広告表示端末３の所在地に対応する対象地域とが関連付けられる場合がある。この場合、例えば、広告文字コンテンツには、表示する文字に地名を含む広告テロップが含まれて記憶される。また、広告文字コンテンツには、対象地域として、都道府県、市区町村が対応付けて記憶される。対象地域は、都道府県、市区町村のほか、複数の都道府県または市区町村を包括する地域名であってもよい。包括する地域名には、例えば、“東海”などがある。対象地域として“東海”が対応付けられて記憶されるとき、“東海”には、愛知県、岐阜県、三重県を示す情報が含まれる。一方、カラオケ装置２または広告表示端末３の所在地には、例えば、都道府県、市区町村などがある。これにより、例えばカラオケ装置２または広告表示端末３の所在地に対応する対象地域が対応付けられた広告文字コンテンツが、カラオケ装置２に表示される広告文字コンテンツと決定される。この結果、広告の対象地域に対応する所在地に設置されたカラオケ装置２または広告表示端末３において、広告の対象地域向けの広告テロップが表示される。これにより、地名（例えば名古屋）を含む広告テロップの表示を、この広告テロップに関連付けられる広告の対象地域（例えば東海）に対応する所在地（例えば愛知）に設置されたカラオケ装置２または広告表示端末３に制限することができる。
【００２８】
広告表示端末３は、一般広告コンテンツまたは広告文字コンテンツを再生し、ディスプレイへ出力する端末である。一般広告コンテンツは、例えば、システム運営者と広告主との取り決めに従って再生させる広告コンテンツである。一般広告コンテンツは、楽曲と関連付けられない。一般広告コンテンツは、カラオケ装置２により楽曲が再生中であるときと、楽曲が再生中でないときとのいずれのときにおいても、再生されてよい広告コンテンツである。一例としては、広告主である企業に関する広告情報が挙げられる。この広告情報には、例えば、広告主である企業により提供される商品またはサービスの情報がある。広告表示端末３は、例えば管理サーバ４からネットワークＮＷを介して広告再生リストを取得する。広告再生リストは、予め決定された広告再生繰返し周期で繰り返して再生させる一般広告コンテンツのリストである。広告再生リストには、一般広告コンテンツの広告コンテンツＩＤが登録されている。広告再生繰返し周期とは、例えば、広告再生リストに登録された順番が先頭の一般広告コンテンツから最後の一般広告コンテンツまでを再生する１周の時間である。広告表示端末３は、広告再生リストに登録された広告コンテンツＩＤが付与された一般広告コンテンツを管理サーバ４から取得する。そして、広告表示端末３は、広告再生リストに基づいて、一般広告コンテンツを再生してディスプレイに表示させる。
【００２９】
また、広告表示端末３は、カラオケ装置２から広告文字コンテンツリスト、及び楽曲の背景映像データを取得する。広告文字コンテンツリストに基づいて、カラオケ装置２により再生される楽曲に広告文字コンテンツが関連付けられていると判断し、且つ、再生される楽曲に従って表示される背景映像が楽曲に関連する関連映像でないと判断した場合、カラオケ装置２から取得した背景映像データに基づき再生される楽曲の関連映像をディスプレイに表示させると共に、関連映像に広告文字コンテンツの文字テロップを重ねて表示させる。
【００３０】
管理サーバ４は、楽曲及び広告コンテンツを管理するサーバである。管理サーバ４は、広告文字コンテンツリスト及び広告再生リストを作成する。管理サーバ４は、カラオケ装置２からの要求に応じて広告文字コンテンツリストをカラオケ装置２へ送信する。また、管理サーバ４は、広告表示端末３からの要求に応じて広告再生リストを広告表示端末３へ送信する。管理サーバ４は、広告表示端末３からの要求に応じて一般広告コンテンツを広告表示端末３へ送信する。
【００３１】
［２．カラオケ装置２、広告表示端末３、及び管理サーバ４の構成］
次に、図１を参照して、カラオケ装置２、広告表示端末３、及び管理サーバ４の構成について説明する。
【００３２】
カラオケ装置２は、制御部２１、記憶部２２、ビデオＲＡＭ２３、映像再生部２４、表示処理部２５、マイク制御部２６、シンセサイザ２７、ミキシングアンプ２８、操作部２９ａ、操作処理部２９ｂ、赤外線受信部２９ｃ、及び通信部２９ｄ等を備えて構成される。表示処理部２５には、ディスプレイが接続される。このように、カラオケ装置２に接続されるディスプレイは、本発明における第１表示部の一例である。制御部２１は、ＣＰＵ、ＲＯＭ、及びＲＡＭ等により構成される。記憶部２２は、例えば、ハードディスク等により構成される。記憶部２２には、ＯＳ（オペレーティングシステム）及び楽曲再生処理プログラムが記憶されている。制御部２１は、ＯＳ及び楽曲再生処理プログラムを実行することにより、カラオケ装置２全体を統括制御する。制御部２１は、本発明の第１表示制御手段、第２表示制御手段、第１判断手段、第２判断手段、第１取得手段、第２取得手段、決定手段、及び楽曲再生手段の一例である。制御部２１は、ユーザによる操作部２９ａからの指示を、操作処理部２９ｂを介して受け付ける。赤外線受信部２９ｃは、選曲装置１との間で赤外線通信を行う。
【００３３】
記憶部２２には、カラオケ装置２の所在地を示す所在地情報が記憶される。記憶部２２には、予約された楽曲の予約リストが記憶される。図２（Ａ）は、予約リストに登録された情報の一例を示す図である。図２（Ａ）に示す予約リストには、予約された楽曲の楽曲ＩＤ、及び楽曲のアーティスト名が予約順に登録されている。楽曲のアーティスト名とは、例えば楽曲の歌手名である。また、図２（Ａ）に示す予約リストに登録された楽曲ＩＤ“ＶＶＶ”には、再生フラグ“１”及び関連映像フラグ“１”が対応付けられて登録されている。これは、楽曲ＩＤ“ＶＶＶ”の楽曲は、楽曲が再生中であり、且つ、背景映像が関連映像であることを示す。予約リストの予約順に従って、再生される楽曲が次の楽曲に更新されると、再生フラグ“１”は、更新され、新たに再生される楽曲の楽曲ＩＤに対応付けられて登録される。再生される楽曲の楽曲ＩＤに、再生フラグ“１”が対応付けて登録されることにより、再生中の楽曲の曲情報が特定可能である。
【００３４】
記憶部２２には、例えば管理サーバ４から取得された広告文字コンテンツリストが記憶される。図２（Ｂ）は、広告文字コンテンツリストに登録された情報の一例を示す図である。図２（Ｂ）に示す広告文字コンテンツリストには、楽曲のアーティスト名と、関連映像楽曲ＩＤと、楽曲の楽曲ＩＤと、対象地域と、広告文字コンテンツとが関連付けられて登録されている。広告文字コンテンツリストに登録された広告文字コンテンツには、広告文字コンテンツに含まれる文字テロップを、楽曲の前奏、間奏、後奏、及び再生終了後の何れのタイミングで表示するかを示す表示タイミング情報が対応付けられる。図２（Ｂ）の例では、楽曲ＩＤ“ＶＶＶ”に関連付けられた広告文字コンテンツは、対象地域“愛知”が関連付けられた、名古屋のイベント情報を紹介する広告テロップを含む。これにより、広告テロップの表示は、この広告テロップの対象地域“愛知”に対応する所在地“愛知”に設置されたカラオケ装置２または広告表示端末３に制限される。また、図２（Ｂ）の例では、楽曲ＩＤ“ＶＶＶ”と、楽曲ＩＤ“ＷＷＷ”とに同一の関連映像楽曲ＩＤ“ＶＶＶ”が関連付けられている。これは、楽曲ＩＤ“ＶＶＶ”の楽曲と、楽曲ＩＤ“ＷＷＷ”の楽曲とは同一の楽曲であるが、背景映像が関連映像と汎用映像とで異なる楽曲であることを示している。
【００３５】
記憶部２２には、楽曲の音声データ、楽曲の再生時間を示す再生時間情報、及び歌詞テロップデータが楽曲ＩＤに対応付けられて記憶される。図２（Ｃ）は、楽曲ＩＤ“ＶＶＶ”に関連付けられた歌詞テロップデータの一例を示す図である。図２（Ｃ）に示す歌詞テロップデータは、歌詞のフレーズ、歌詞のフレーズの表示開始時間、歌詞のフレーズの表示終了時間、及び歌詞のフレーズの塗り開始時間と塗り速度を示すデータを、フレーズ毎に含んで構成されている。フレーズは、楽曲の歌詞を表す全ての文字列を所定の区切りで区切ったときの各文字列に相当する。例えば、歌詞のフレーズ“あいうえお”が、歌詞テロップとして表示される。歌詞のフレーズの表示開始時間は、歌詞のフレーズを文字ごとに表示する開始時間を示す。歌詞のフレーズの表示終了時間は、歌詞のフレーズの表示を終了する終了時間を示す。開始時間及び終了時間は、例えば、楽曲の再生開始時点からの経過時間で表される。歌詞のフレーズの塗り開始時間は、歌詞のフレーズの先頭の文字の色塗りを開始する開始時間を示す。歌詞の塗り速度は、歌詞のフレーズの色塗り速度を示す。図２（Ｄ）は、図２（Ｃ）に示す歌詞テロップデータに基づき作成された関連映像用の歌詞テロップデータの一例を示す図である。図２（Ｄ）に示す関連映像用の歌詞テロップデータには、図２（Ｃ）に示す歌詞テロップデータ中に、文字テロップ及び文字テロップの表示開始時刻及び表示終了時刻が挿入されている。また、背景映像として関連映像が表示される楽曲の楽曲ＩＤには、この楽曲の歌手に関連する関連映像を表示する背景映像データが対応付けられて記憶部２２に記憶される。一方、汎用映像を表示する背景映像データは、汎用映像が表示される楽曲の楽曲ＩＤに対応付けられずに記憶部２２に記憶される。
【００３６】
シンセサイザ２７は、制御部２１の制御の下、音声データを用いて楽曲の再生を行い、楽曲の音声信号をミキシングアンプ２８へ出力する。マイク制御部２６は、マイクにより集音されたユーザの歌唱音声信号をミキシングアンプ２８へ出力する。ミキシングアンプ２８は、楽曲の音声信号と歌唱音声信号とをミキシングしてスピーカへ出力する。映像再生部２４は、制御部２１の制御の下、背景映像データを用いて汎用映像、または再生される楽曲の歌手に関連する関連映像の再生を行い、この映像信号を表示処理部２５へ出力する。表示処理部２５は、映像信号をディスプレイへ出力して背景映像を表示させる。そして、表示処理部２５は、制御部２１の制御の下、制御部２１からの歌詞テロップデータに基づき、背景映像に楽曲の歌詞テロップを重ねて表示させる。更に、表示処理部２５は、制御部２１の制御の下、再生される楽曲の歌手に関連する関連映像に広告文字コンテンツの文字テロップを重ねて表示させる。
【００３７】
広告表示端末３は、制御部３１、記憶部３２、表示処理部３３、及び通信部３４等を備えて構成される。表示処理部３３には、ディスプレイが接続される。このように、広告表示端末３に接続されるディスプレイは、本発明における第２表示部の一例である。制御部３１は、ＣＰＵ、ＲＯＭ、及びＲＡＭ等により構成され、時計機能及びタイマー機能を備える。記憶部３２は、例えば、ハードディスク等により構成される。記憶部３２には、ＯＳ及び広告表示処理プログラム等が記憶されている。制御部３１は、ＯＳ及び広告表示処理プログラムを実行することにより、広告表示端末３全体を統括制御する。制御部３１は、本発明の取得手段、第１判断手段、第２判断手段、及び表示制御手段の一例である。記憶部３２には、例えばカラオケ装置２から取得された予約リストまたは再生中の楽曲の曲情報、及び広告文字コンテンツリストが記憶される。広告文字コンテンツリストは、管理サーバ４から取得されてもよい。記憶部３２には、例えば管理サーバ４から取得された広告再生リストが記憶される。記憶部３２には、広告再生リストに基づいて取得された一般広告コンテンツが記憶される。一般広告コンテンツは、例えば静止画データ又は動画データにより構成される。記憶部３２には、例えばカラオケ装置２から取得された背景映像データが記憶される。この背景映像データは、楽曲の歌手に関連する関連映像を表示するためのデータである。背景映像データには、関連映像が表示される楽曲の楽曲ＩＤが対応付けられる。制御部３１は、広告再生リストに基づいて、一般広告コンテンツを再生し、一般広告の画像信号を表示処理部３３へ出力する。表示処理部３３は、一般広告の画像信号をディスプレイへ出力して静止画又は動画を表示させる。制御部３１は、広告文字コンテンツリストに基づいて、背景映像データ及び広告文字コンテンツを再生し、再生される楽曲の歌手に関連する関連映像の映像信号及び広告文字コンテンツに含まれる文字テロップを表示処理部３３へ出力する。表示処理部３３は、再生される楽曲の歌手に関連する関連映像の映像信号及び広告文字コンテンツに含まれる文字テロップをディスプレイへ出力して関連映像に広告文字コンテンツの文字テロップを重ねて表示させる。なお、広告表示端末３にディスプレイが備えられているとき、広告表示端末３は、カラオケ装置２による楽曲の再生に従って、映像を表示するディスプレイとして使用可能である。
【００３８】
管理サーバ４は、制御部４１、記憶部４２、及び通信部４３等を備えて構成される。制御部４１は、ＣＰＵ、ＲＯＭ、及びＲＡＭ等により構成される。記憶部４２は、例えば、ハードディスク等により構成される。記憶部４２には、ＯＳ及びサーバ処理プログラム等が記憶されている。制御部４１は、ＯＳ及びサーバ処理プログラムを実行することにより、管理サーバ４全体を統括制御する。記憶部４２には、カラオケ装置２により再生可能な楽曲の情報を管理する楽曲管理リストが記憶される。楽曲管理リストには、楽曲の楽曲ＩＤ及び再生時間等の情報が楽曲ごとに登録される。記憶部４２には、広告文字コンテンツリスト、及び広告再生リストが記憶される。記憶部４２には、広告再生リストに登録されている広告コンテンツＩＤが付与された一般広告コンテンツが記憶される。また、記憶部４２には、所在地リストが記憶される。図２（Ｅ）は、所在地リストに登録された情報の一例を示す図である。図２（Ｅ）に示す所在地リストには、カラオケ装置のＭＡＣアドレスと所在地とが関連付けられて登録されている。
【００３９】
［３．カラオケシステムＳの広告表示動作］
次に、図３乃至図５を参照して、カラオケシステムＳの広告表示動作を説明する。図３は、管理サーバ４の制御部４１における処理を示すフローチャートである。図４は、カラオケ装置２の制御部２１における処理を示すフローチャートである。図５は、広告表示端末３の制御部３１における処理を示すフローチャートである。
【００４０】
（３．１  管理サーバ４の処理）
先ず、図３を参照して、管理サーバ４の処理を説明する。図３に示す処理は、例えば、管理サーバ４の電源オンにより開始される。図３に示す処理が開始されると、管理サーバ４の制御部４１は、広告文字コンテンツの登録要求があったか否かを判定する（ステップＳ１）。例えば、制御部４１は、管理者の端末５から広告文字コンテンツの登録要求を受信した場合に、広告文字コンテンツの登録要求があったと判定する。広告文字コンテンツの登録要求があったと判定された場合（ステップＳ１：ＹＥＳ）、ステップＳ２へ進む。広告文字コンテンツの登録要求がないと判定された場合（ステップＳ１：ＮＯ）、ステップＳ３へ進む。
【００４１】
ステップＳ２では、制御部４１は、例えば管理者の端末５からアップロードされた広告文字コンテンツに対して、例えば管理者により指定された楽曲の楽曲ＩＤ、アーティスト名、及び対象地域等を関連付けて広告文字コンテンツリストに登録する。これにより、広告文字コンテンツリストが更新される。広告文字コンテンツリストが更新されると、管理サーバ４からカラオケ装置２へ広告文字コンテンツリストの更新情報が送信される。
【００４２】
ステップＳ３では、制御部４１は、一般広告コンテンツの登録要求があったか否かを判定する。例えば、制御部４１は、管理者の端末５から一般広告コンテンツの登録要求を受信した場合に、一般広告コンテンツの登録要求があったと判定する。一般広告コンテンツの登録要求があったと判定された場合（ステップＳ３：ＹＥＳ）、ステップＳ４へ進む。一般広告コンテンツの登録要求がないと判定された場合（ステップＳ３：ＮＯ）、ステップＳ６へ進む。
【００４３】
ステップＳ４では、制御部４１は、例えば管理者の端末５からアップロードされた一般広告コンテンツに対して広告コンテンツＩＤを付与して記憶部４２に記憶する。次いで、制御部４１は、例えば、一般広告コンテンツの広告コンテンツＩＤ及び登録日時等を広告再生リストに登録する（ステップＳ５）。これにより、広告再生リストが更新される。
【００４４】
ステップＳ６では、広告文字コンテンツリストの取得要求があったか否かを判定する。カラオケ装置２から最新の広告文字コンテンツリストの取得要求が受信された場合、広告文字コンテンツリストの取得要求があったと判定される（ステップＳ６：ＹＥＳ）。制御部４１は、広告文字コンテンツリストの取得要求に応じて、最新の広告文字コンテンツリストを記憶部４２から取得しカラオケ装置２へ送信する（ステップＳ７）一方、広告文字コンテンツリストの取得要求がないと判定された場合（ステップＳ６：ＮＯ）、ステップＳ８へ進む。
【００４５】
ステップＳ８では、制御部４１は、一般広告コンテンツの取得要求があったか否かを判定する。広告表示端末３から一般広告コンテンツの取得要求が受信された場合、一般広告コンテンツの取得要求があったと判定される（ステップＳ８：ＹＥＳ）。一般広告コンテンツの取得要求には、この一般広告コンテンツの広告コンテンツＩＤが含まれる。制御部４１は、一般広告コンテンツの取得要求に応じて、この取得要求に含まれる広告コンテンツＩＤが付与された広告コンテンツを記憶部４２から取得し広告表示端末３へ送信する（ステップＳ９）。一方、一般広告コンテンツの取得要求がないと判定された場合（ステップＳ８：ＮＯ）、ステップＳ１０へ進む。
【００４６】
ステップＳ１０では、制御部４１は、広告再生リストの取得要求があったか否かを判定する。広告表示端末３から広告再生リストの取得要求が受信された場合、広告再生リストの取得要求があったと判定される（ステップＳ１０：ＹＥＳ）。この場合、制御部４１は、取得要求された広告再生リストを記憶部４２から取得し広告表示端末３へ送信する（ステップＳ１１）。一方、広告再生リストの取得要求がないと判定された場合（ステップＳ１０：ＮＯ）、ステップＳ１２へ進む。
【００４７】
ステップＳ１２では、制御部４１は、電源オフ指令があったか否かを判定する。電源オフ指令があったと判定された場合（ステップＳ１２：ＹＥＳ）、図３に示す処理を終了する。電源オフ指令がないと判定された場合（ステップＳ１２：ＮＯ）、ステップＳ１に戻る。
【００４８】
（３．２  カラオケ装置２の処理）
次に、図４を参照して、カラオケ装置２の処理を説明する。図４（Ａ）に示す処理は、例えば、カラオケ装置２の電源オンにより開始される。図４（Ａ）に示す処理が開始されると、カラオケ装置２の制御部２１は、カラオケ装置２の所在地を示す所在地情報を取得する（ステップＳ２１）。例えば、制御部２１は、カラオケ装置２の通信部２９ｄに設定されているＭＡＣアドレスを管理サーバ４へ送信する。管理サーバ４は、カラオケ装置２からＭＡＣアドレスを取得すると、ＭＡＣアドレスに関連付けられて、図２（Ｅ）に示すような所在地リストに登録されている所在地を示す所在地情報をカラオケ装置２へ送信する。
【００４９】
次いで、制御部２１は、選曲装置１から楽曲の予約要求があったか否かを判定する（ステップＳ２２）。ユーザにより選曲されたカラオケ楽曲の予約要求が選曲装置１から受信された場合、楽曲の予約要求があったと判定される（ステップＳ２２：ＹＥＳ）。この場合、制御部２１は、楽曲の予約要求に含まれる楽曲ＩＤを予約リストに登録する（ステップＳ２３）。これにより、予約リストが更新される。一方、楽曲の予約要求がないと判定された場合（ステップＳ２２：ＮＯ）、ステップ２９へ進む。
【００５０】
次いで、制御部２１は、広告文字コンテンツリストを参照して、予約された楽曲に、この楽曲と関連する広告の文字テロップを含む広告文字コンテンツが関連付けられているか否かを判断する（ステップＳ２４）。例えば、広告文字コンテンツリストにおいて広告文字コンテンツが、ステップＳ２３で予約リストに登録された楽曲ＩＤに関連付けられている場合、予約された楽曲に広告文字コンテンツが関連付けられていると判断される。予約された楽曲と関連する広告の文字テロップを含む広告文字コンテンツが関連付けられていると判断された場合（ステップＳ２４：ＹＥＳ）、ステップＳ２６へ進む。例えば、予約リストに登録された楽曲ＩＤが“ＶＶＶ”であるとすると、図２（Ｂ）に示す広告文字コンテンツリストでは、広告文字コンテンツ５１、広告文字コンテンツ５２、及び広告文字コンテンツ５３が、楽曲ＩＤ“ＶＶＶ”に関連付けられている。一方、予約された楽曲と関連する広告の文字テロップを含む広告文字コンテンツが関連付けられていないと判断された場合（ステップＳ２４：ＮＯ）、ステップＳ２５へ進む。
【００５１】
ステップＳ２５では、制御部２１は、予約された楽曲の楽曲ＩＤに対応付けられて記憶部２２に記憶されている既存の歌詞テロップデータを、予約された楽曲が再生されたときに使用する歌詞テロップデータとして、予約された楽曲の楽曲ＩＤに対応付けて設定する。つまり、広告文字コンテンツが組み込まれていない歌詞テロップデータが設定される。
【００５２】
ステップＳ２６では、制御部２１は、広告文字コンテンツリストを参照して、ステップＳ２４で楽曲に関連付けられていると判断された広告文字コンテンツに対して、ステップＳ２１で取得された所在地情報が示す所在地に対応する対象地域として、例えば所在地を地域内に含む対象地域が関連付けられているか否かを判定する。広告文字コンテンツリストにおいて広告文字コンテンツに上記所在地情報が示す所在地を地域内に含む対象地域が関連付けられていると判定された場合（ステップＳ２６：ＹＥＳ）、ステップＳ２７へ進む。例えば、ステップＳ２６において、所在地情報が示す所在地が“愛知”であるとすると、図２（Ｂ）に示す広告文字コンテンツリストでは、広告文字コンテンツ５１に、上記所在地情報が示す所在地を地域内に含んだ対象地域“愛知”が関連付けられているため、ステップＳ２７へ進む。この場合、広告文字コンテンツ５１に、カラオケ装置２の所在地に対応する対象地域”愛知”が関連付けられた、名古屋のイベント情報を紹介する文字テロップが含まれている。
【００５３】
なお、図２（Ｂ）に示す広告文字コンテンツリストにおいて、対象地域の欄が空白になっている広告文字コンテンツ５３には、対象地域が特定の地域に限定されず全地域が関連付けられていることを示す。つまり、広告文字コンテンツ５３は、カラオケ装置２または広告表示端末３の所在地には制限されることなく表示される。一方、広告文字コンテンツリストにおいて広告文字コンテンツに上記所在地情報が示す所在地を地域内に含む対象地域が関連付けられていないと判定された場合（ステップＳ２６：ＮＯ）、上記と同様、ステップＳ２５の処理が行われる。
【００５４】
ステップＳ２７では、制御部２１は、予約された楽曲の背景映像が、この楽曲の歌手に関連する関連映像であるか否かを判断する。例えば、予約された楽曲の楽曲ＩＤが関連映像楽曲ＩＤとして広告文字コンテンツリストに登録されている場合、予約された楽曲の背景映像がこの楽曲の歌手に関連する関連映像であると判断される。予約された楽曲の背景映像が、この楽曲の歌手に関連する関連映像であると判断された場合（ステップＳ２７：ＹＥＳ）、制御部２１は、予約された楽曲の楽曲ＩＤに対応付けて関連映像フラグ“１”を予約リストに登録し、ステップＳ２８へ進む。予約された楽曲の背景映像が、この楽曲の歌手に関連する関連映像でないと判断された場合（ステップＳ２７：ＮＯ）、上記と同様、ステップＳ２５の処理が行われる。予約リストに登録された楽曲ＩＤが“ＷＷＷ”であるとすると、この楽曲の背景映像は関連映像でないため、ステップＳ２５に進む。つまり、この場合、楽曲ＩＤ“ＷＷＷ”に対応付けられた広告文字コンテンツの表示は、カラオケ装置２では行われず広告表示端末３で行われることになる。
【００５５】
ステップＳ２８では、制御部２１は、関連映像用の歌詞テロップデータの作成処理を行う。関連映像用の歌詞テロップデータの作成処理では、図４（Ｂ）に示すように、制御部２１は、予約された楽曲の楽曲ＩＤに対応付けられて記憶部２２に記憶されている歌詞テロップデータを取得する（ステップＳ２８１）。例えば、図２（Ｃ）に示す歌詞テロップデータが取得される。次いで、制御部２１は、ステップＳ２６で所在地情報が示す所在地を地域内に含む対象地域が関連付けられていると判定された広告文字コンテンツ及び広告文字コンテンツの表示タイミング情報を広告文字コンテンツリストから取得する（ステップＳ２８２）。例えば、予約リストに登録された楽曲ＩＤが“ＶＶＶ”であり、所在地情報が示す所在地が“愛知”であるとすると、図２（Ｂ）に示す広告文字コンテンツリストから、広告文字コンテンツ５１，５３及び広告文字コンテンツ５１，５３の表示タイミング情報が夫々取得される。次いで、制御部２１は、取得した歌詞テロップデータと表示タイミング情報とに基づいて、取得した広告文字コンテンツに含まれる文字テロップの表示開始時間及び表示終了時間を決定する（ステップＳ２８３）。例えば、図２（Ｂ）に示す広告文字コンテンツリストでは、広告文字コンテンツ５１の表示タイミング情報には、広告文字コンテンツに含まれる文字テロップを楽曲の前奏のタイミングで表示することが示されている。そのため、制御部２１は、図２（Ｃ）に示す歌詞テロップデータに含まれる先頭のフレーズ“あいうえお”の表示開始時間“００：２０”の前のタイミングである例えば“００：００”を表示開始時間として決定し、且つ、例えば“００：１８”を表示終了時間として決定する。一方、例えば、図２（Ｂ）に示す広告文字コンテンツリストでは、広告文字コンテンツ５３の表示タイミング情報には、広告文字コンテンツに含まれる文字テロップを楽曲の後奏のタイミングで表示することが示されている。そのため、制御部２１は、図２（Ｃ）に示す歌詞テロップデータに含まれる最後のフレーズ“さしすせそ”の表示終了時間“００：３５”の後のタイミングである例えば“００：３７”を表示開始時間として決定し、且つ、例えば“００：４５”を表示終了時間として決定する。
【００５６】
なお、ステップＳ２８２で取得された広告文字コンテンツの表示タイミング情報に、広告文字コンテンツに含まれる文字テロップを楽曲の間奏のタイミングで表示することが示されているとする。この場合、制御部２１は、例えば、図２（Ｃ）に示す歌詞テロップデータに含まれる途中のフレーズ“かきくけこ”の表示終了時間“００：２９”と、最後のフレーズ“さしすせそ”の表示開始時間“００：３２”との間のタイミングである例えば“００：３０”を表示開始時間として決定し、且つ、例えば“００：３１”を表示終了時間として決定する。
【００５７】
以上のように決定された文字テロップの表示開始時間及び表示終了時間は、広告文字コンテンツに対応付けられて記憶部２１に記憶される。
【００５８】
次いで、制御部２１は、ステップＳ２８３で決定された表示開始時間及び表示終了時間に基づき、歌詞テロップデータ中に、広告文字コンテンツに含まれる文字テロップと文字テロップの表示開始時間及び表示終了時間を挿入して関連映像用の歌詞テロップデータを作成する（ステップＳ２８４）。つまり、図２（Ｄ）に示すように、歌詞テロップデータと広告文字コンテンツがマージされて新たな歌詞テロップデータが作成される。
【００５９】
次いで、制御部２１は、ステップＳ２８４で作成された関連映像用の歌詞テロップデータを、予約された楽曲が再生されたときに使用する歌詞テロップデータとして、予約された楽曲の楽曲ＩＤに対応付けて設定する（ステップＳ２８５）。なお、ステップＳ２８２で取得された広告文字コンテンツの表示タイミング情報に、広告文字コンテンツに含まれる文字テロップを楽曲の再生終了後のタイミングで表示することが示されている場合、関連映像用の歌詞テロップデータの作成は行われない。この場合、ステップＳ２８５では、制御部２１は、ステップＳ２８１で取得された歌詞テロップデータと、ステップＳ２８２で取得された広告文字コンテンツの表示タイミング情報を、予約された楽曲が再生されたときに使用する歌詞テロップデータ及び表示タイミング情報として、予約された楽曲の楽曲ＩＤに対応付けて設定する。
【００６０】
ステップＳ２９では、制御部２１は、予約リストに基づき予約された楽曲の再生タイミングとなったか否かを判定する。予約された楽曲の再生タイミングとなったと判定された場合（ステップＳ２９：ＹＥＳ）、ステップＳ３０へ進む。予約された楽曲の再生タイミングとなっていないと判定された場合（ステップＳ２９：ＮＯ）、ステップＳ３１へ進む。
【００６１】
ステップＳ３０では、制御部２１は、再生タイミングとなった楽曲の再生処理を実行する。この再生処理では、制御部２１は、楽曲の音声データを用いて楽曲を再生させる。そして、制御部２１は、再生される楽曲に従って、背景映像データを用いて背景映像をディスプレイに表示させると共に、歌詞テロップデータを用いて楽曲の歌詞テロップを背景映像に重ねて表示させる。図４（Ａ）に示す処理において背景映像が再生される楽曲の関連映像であると判断され（ステップＳ２７：ＹＥＳ）、且つ、再生される楽曲に広告文字コンテンツが関連付けられていると判断された場合（ステップＳ２４：ＹＥＳ）、制御部２１は、ステップＳ２８５で設定された関連映像用の歌詞テロップデータを用いて、楽曲の歌詞テロップ及び広告文字コンテンツの文字テロップを関連映像に重ねて表示させる。
【００６２】
広告文字コンテンツの文字テロップは、例えば、歌詞テロップと同じ大きさまたはフォント等の表示形態で表示される。文字テロップの色を歌詞テロップの色と変えるように構成してもよい。なお、広告文字コンテンツの文字テロップの表示において、制御部２１は、再生される楽曲の再生時間を示す再生時間情報を取得する。そして、制御部２１は、取得した再生時間情報に従って、関連映像用の歌詞テロップデータが示す表示開始時間及び表示終了時間により広告の文字テロップの表示タイミングを決定する。つまり、広告の文字テロップの表示タイミングとして、楽曲の前奏、間奏、または後奏のタイミングが決定される。これにより、楽曲の再生時間情報に従って決定された楽曲の前奏、間奏、または後奏のタイミングであるときに、上記関連映像に広告文字コンテンツの文字テロップが重ねて表示される。つまり、楽曲の歌詞テロップが表示されない隙間に、広告の文字テロップが表示される。そのため、ユーザに違和感を与えることなく、広告文字コンテンツの文字テロップをユーザに提示することができるので、ユーザに対し広告の文字テロップに注目させることができる。
【００６３】
また、ステップＳ２８５において歌詞テロップデータと広告文字コンテンツの表示タイミング情報が設定された場合、制御部２１は、再生される楽曲の再生時間を示す再生時間情報を所定のタイミングで取得する。そして、制御部２１は、取得された再生時間情報に従って、楽曲の再生が終了された後に、再生終了した楽曲の歌手に関連する関連映像を表示させると共に、この関連映像に広告文字コンテンツの文字テロップを重ねて表示させる。
【００６４】
また、ステップＳ２８２で取得された広告文字コンテンツに、ステップＳ２１で取得された所在地情報が示す所在地を地域内に含む対象地域が関連付けられた広告テロップが含まれているとき、再生される楽曲の歌手に関連する関連映像に、再生される楽曲と関連する対象地域が関連付けられた広告テロップが重ねて表示されることになる。
【００６５】
一方、図４（Ａ）に示す処理において、広告文字コンテンツが関連付けられていないと判断された場合（ステップＳ２４：ＮＯ）、所在地を地域内に含む対象地域が関連付けられていないと判定された場合（ステップＳ２６：ＮＯ）、または関連映像でないと判断された場合（ステップＳ２７：ＮＯ）、制御部２１は、ステップＳ２５で設定された歌詞テロップデータを用いて、楽曲の歌詞テロップを汎用映像に重ねて表示させる。これらの場合、広告文字コンテンツの文字テロップは表示されない。なお、図４（Ａ）に示す処理において、再生される楽曲に広告文字コンテンツが関連付けられていると判断された（ステップＳ２４：ＹＥＳ）場合において、背景映像が再生される楽曲の関連映像であると判断されない場合（ステップＳ２７：ＮＯ）、制御部２１は、再生される楽曲の再生時間を示す再生時間情報を所定のタイミングで取得し、取得された再生時間情報に従って、楽曲の再生が終了された後に、再生終了した楽曲の歌手に関連する関連映像を表示させると共に、この関連映像に広告文字コンテンツの文字テロップを重ねて表示させるように構成してもよい。この場合、楽曲の再生中に表示される歌詞テロップと区別して広告の文字テロップを表示することによって、ユーザに対し広告の文字テロップに注目させることができる。
【００６６】
なお、ステップＳ２８に示す関連映像用の歌詞テロップデータの作成処理において、歌詞テロップデータと広告文字コンテンツをマージして関連映像用の歌詞テロップデータが作成されるように構成したが、関連映像用の歌詞テロップデータを作成しなくてもよい。この場合、制御部２１は、楽曲の再生処理において再生中の楽曲の再生時間を示す再生時間情報に従って、歌詞テロップデータ及びステップＳ２８３で決定された文字テロップの表示開始時間に基づいて、楽曲の歌詞テロップ及び広告文字コンテンツの文字テロップを関連映像に重ねて表示させるように構成してもよい。
【００６７】
例えば、図２（Ｃ）に示す歌詞テロップデータと、図２（Ｂ）に示に示す広告文字コンテンツ５１及び５３を例にとって説明する。この場合、制御部２１は、図２（Ｃ）に示す歌詞テロップデータに含まれる先頭のフレーズ“あいうえお”を表示する前に、ステップＳ２８３で決定された、広告文字コンテンツ５１の文字テロップの表示開始時間をチェックする。例えば、広告文字コンテンツ５１の文字テロップの表示開始時間は、ステップＳ２８３で“００：００”と決定されている。そのため、制御部２１は、広告文字コンテンツ５１の文字テロップ“7月1日 18:00より名古屋でライブ開催決定！”を関連映像に重ねて表示させる。次に、制御部２１は、歌詞のフレーズ“あいうえお”を表示する前に、ステップＳ２８３で決定された、広告文字コンテンツ５３の文字テロップの表示開始時間をチェックする。例えば、広告文字コンテンツ５３の文字テロップの表示開始時間は、ステップＳ２８３で“００：３７”と決定されているため、歌詞のフレーズ“あいうえお”の表示開始時間“００：２０”よりも遅い。そのため、制御部２１は、歌詞のフレーズ“あいうえお”を関連映像に重ねて表示させる。次に、制御部２１は、歌詞のフレーズ“かきくけこ”を表示する前に、ステップＳ２８３で決定された、広告文字コンテンツ５３の文字テロップの表示開始時間をチェックする。広告文字コンテンツ５３の文字テロップの表示開始時間は、歌詞のフレーズ“かきくけこ”の表示開始時間“００：２６”よりも遅いため、制御部２１は、歌詞のフレーズ“かきくけこ”を関連映像に重ねて表示させる。次に、制御部２１は、歌詞のフレーズ“さしすせそ”を表示する前に、ステップＳ２８３で決定された、広告文字コンテンツ５３の文字テロップの表示開始時間をチェックする。広告文字コンテンツ５３の文字テロップの表示開始時間は、歌詞のフレーズ“さしすせそ”の表示開始時間“００：３２”よりも遅いため、制御部２１は、歌詞のフレーズ“さしすせそ”を関連映像に重ねて表示させる。そして、制御部２１は、全ての歌詞のフレーズを表示させた後、広告文字コンテンツ５３の文字テロップ“Now on sale !”を関連映像に重ねて表示させる。
【００６８】
なお、上記ステップＳ２８において、関連映像用の歌詞テロップデータを作成するように構成したが、図４（Ａ）に示す処理が開始される前に、予め、関連映像用の歌詞テロップデータが作成されるように構成してもよい。つまり、この場合、通常用の歌詞テロップデータと、関連映像用の歌詞テロップデータの２種類が用意される。
【００６９】
ステップＳ３１では、制御部２１は、広告文字コンテンツリストの更新があったか否かを判定する。例えば、管理サーバ４から広告文字コンテンツリストの更新情報が受信された場合、広告文字コンテンツリストの更新があったと判定される。広告文字コンテンツリストの更新があったと判定された場合（ステップＳ３１：ＹＥＳ）、ステップＳ３２へ進む。広告文字コンテンツリストの更新がないと判定された場合（ステップＳ３１：ＮＯ）、ステップＳ３４へ進む。
【００７０】
ステップＳ３２では、制御部２１は、管理サーバ４へ広告文字コンテンツリストの取得要求を送信することで管理サーバ４から最新の広告文字コンテンツリストを取得する。これにより、広告文字コンテンツリストが更新される。
【００７１】
なお、ステップＳ３２において、制御部２１は、管理サーバ４へ広告文字コンテンツの取得要求を送信するように構成してもよい。この場合、管理サーバ４の制御部４１は、上記ステップＳ７において、広告文字コンテンツの取得要求に応じて、最新の広告文字コンテンツ、及びこの広告文字コンテンツに関連付けられた楽曲ＩＤ、アーティスト名、及び所在地を示す所在地情報等を記憶部４２から取得しカラオケ装置２へ送信する。そして、広告表示端末２の制御部２１は、管理サーバ４から取得した最新の広告文字コンテンツ、楽曲ＩＤ、アーティスト名、及び所在地を示す所在地情報等を広告文字コンテンツリストに追加登録する。
【００７２】
ステップＳ３４では、制御部２１は、予約リストの取得要求があったか否かを判定する。例えば、広告表示端末３から予約リストの取得要求が受信された場合、予約リストの取得要求があったと判定される（ステップＳ３４：ＹＥＳ）。この場合、制御部２１は、取得要求された予約リストを記憶部２２から取得し広告表示端末３へ送信する（ステップＳ３５）。予約リストの取得要求がないと判定された場合（ステップＳ３４：ＮＯ）、ステップＳ３６へ進む。
【００７３】
ステップＳ３６では、背景映像データ及び広告文字コンテンツリストの取得要求があったか否かを判定する。例えば、広告表示端末３から背景映像データ、及び広告文字コンテンツリストの取得要求が受信された場合、背景映像データ及び広告文字コンテンツリストの取得要求があったと判定される（ステップＳ３６：ＹＥＳ）。広告表示端末３から取得要求される背景映像データは、予約リストに登録された楽曲ＩＤに関連付けられた関連映像楽曲ＩＤと一致する楽曲ＩＤに対応付けられた背景映像データである。例えば、予約リストに登録された楽曲ＩＤが“ＷＷＷ”であるとすると、広告文字コンテンツリストにおいて楽曲ＩＤ“ＷＷＷ”に関連映像楽曲ＩＤとして関連付けられた“ＶＶＶ”に対応付けられて記憶されている背景映像データである。つまり、この場合、背景映像データは、楽曲ＩＤ“ＶＶＶ”の楽曲の歌手に関連する関連映像を表示するデータである。制御部２１は、取得要求された背景映像データ及び広告文字コンテンツリストを記憶部２２から取得し広告表示端末３へ送信する（ステップＳ３７）。一方、背景映像データ及び広告文字コンテンツリストの取得要求がないと判定された場合（ステップＳ３６：ＮＯ）、ステップＳ３８へ進む。
【００７４】
ステップＳ３８では、制御部２１は、電源オフ指令があったか否かを判定する。電源オフ指令があったと判定された場合（ステップＳ３８：ＹＥＳ）、図４（Ａ）に示す処理を終了する。電源オフ指令がないと判定された場合（ステップＳ３８：ＮＯ）、ステップＳ２２に戻る。
【００７５】
なお、上記ステップＳ２６では、所在地情報が示す所在地を地域内に含む対象地域が関連付けられているか否かを判定するように構成した。しかし、別の例として、所在地情報が示す所在地から所定の距離（例えば数十ｋｍ）を範囲内と定め、所在地から所定の距離範囲内に存在する地域が、広告文字コンテンツの対象地域として関連付けられている（言い換えれば、対象地域から所定の距離範囲内に所在地が存在する）か否かを判定するように構成してもよい。例えば、所在地情報が示す所在地が“愛知”であり、所在地から所定の距離（例えば１５０ｋｍ）が範囲内と定められたとすると、広告文字コンテンツに、所在地“愛知”から所定の距離（例えば１５０ｋｍ）範囲内に存在する“京都”が関連付けられている場合、ステップＳ２７へ進むことになる。また、ステップＳ２６において判定対象となる対象地域は、広告文字コンテンツの広告テロップに含まれる地名から特定されるように構成してもよい。この場合、制御部２１は、例えば予め記憶された地名辞書を用いて、例えば図２（Ｂ）に示す広告文字コンテンツリストにおける広告文字コンテンツ５１の広告テロップから、地名 “名古屋”を対象地域として特定する。このように特定された対象地域“名古屋”は、広告文字コンテンツ５１に関連付けられる対象地域となる。この場合、例えば、図２（Ｂ）に示す広告文字コンテンツリストにおいて広告文字コンテンツ５１に関連付けられた“愛知”の代わりに、上記特定された“名古屋”が広告文字コンテンツ５１に関連付けられる対象地域として用いられる。すなわち、この場合、制御部２１は、ステップＳ２６において、ステップＳ２１で取得された所在地情報が示す所在地と、上記特定した対象地域とを比較して、広告文字コンテンツに、所在地を地域内に含む対象地域が関連付けられているか、または所在地から所定の距離範囲内に存在する対象地域が関連付けられているかを判定することになる。
【００７６】
（３．３  広告表示端末３の処理）
次に、図５を参照して、広告表示端末３の処理を説明する。図５に示す処理は、例えば、広告表示端末３の電源オンにより開始される。図５に示す処理が開始されると、広告表示端末３の制御部３１は、カラオケ装置２の所在地を示す所在地情報を例えばカラオケ装置２から取得する（ステップＳ４１）。次いで、制御部３１は、広告再生リストの取得要求を管理サーバ４へ送信することで広告再生リストを管理サーバ４から取得する（ステップＳ４２）。ステップＳ４２の処理は、例えばタイマーにより設定された時間（例えば、１時間）がカウントアップした場合に行われるように構成してもよい。
【００７７】
次いで、制御部３１は、取得した広告再生リストを参照して、一般広告コンテンツの更新があるか否かを判定する（ステップＳ４３）。取得した広告再生リストの中に、記憶部３２に記憶されていない一般広告コンテンツの広告コンテンツＩＤが含まれる場合、一般広告コンテンツの更新があると判定される。一般広告コンテンツの更新があると判定された場合（ステップＳ４３：ＹＥＳ）、ステップＳ４４へ進む。一般広告コンテンツの更新がないと判定された場合（ステップＳ４３：ＮＯ）、ステップＳ４５へ進む。
【００７８】
ステップＳ４４では、制御部３１は、一般広告コンテンツの取得要求を管理サーバ４へ送信することで最新の一般広告コンテンツを管理サーバ４から取得する。一般広告コンテンツの取得要求には、記憶部３２に記憶されていない一般広告コンテンツの広告コンテンツＩＤが含まれる。ステップＳ４５では、制御部３１は、カラオケ装置２により楽曲が再生中であるか否かを判定する。例えば、カラオケ装置２から取得された予約リストに再生フラグが登録されている場合、楽曲が再生中であると判定される。楽曲が再生中であると判定された場合（ステップＳ４５：ＹＥＳ）、ステップＳ４９へ進む。楽曲が再生中でないと判定された場合（ステップＳ４５：ＮＯ）、ステップＳ４６へ進む。なお、カラオケ装置２から未だ予約リストが取得されていない場合も、ステップＳ４６へ進む。
【００７９】
ステップＳ４６では、制御部３１は、管理サーバ４から取得された広告再生リストに基づいて一般広告コンテンツを再生し、ディスプレイに表示させる。ステップＳ４７では、制御部３１は、予約リストの取得要求をカラオケ装置２へ送信することで予約リストをカラオケ装置２から取得する。次いで、制御部３１は、背景映像データ及び広告文字コンテンツリストの取得要求をカラオケ装置２へ送信することで背景映像データ及び広告文字コンテンツリストをカラオケ装置２から取得する（ステップＳ４８）。ここで取得される背景映像データは、上述したように、予約リストに登録された楽曲ＩＤに関連付けられた関連映像楽曲ＩＤと一致する楽曲ＩＤに対応付けられた背景映像データである。このように、背景映像データ及び広告文字コンテンツリストは、使用前にカラオケ装置２から取得され、記憶部３２に記憶される。なお、取得された背景映像データには、上記楽曲ＩＤが対応付けられて記憶される。
【００８０】
ステップＳ４９では、制御部３１は、ステップＳ４８で取得された広告文字コンテンツリストを参照して、再生中の楽曲に、この楽曲と関連する広告の文字テロップを含む広告文字コンテンツが関連付けられているか否かを判断する。例えば、広告文字コンテンツリストにおいて広告文字コンテンツが、予約リストに登録された再生フラグ“１”が対応付けられている楽曲ＩＤに関連付けられている場合、再生中の楽曲に広告文字コンテンツが関連付けられていると判断される。再生中の楽曲と関連する広告の文字テロップを含む広告文字コンテンツが関連付けられていると判断された場合（ステップＳ４９：ＹＥＳ）、ステップＳ５０へ進む。例えば、予約リストに登録された楽曲ＩＤ“ＷＷＷ”に再生フラグ“１”が対応付けられているとすると、図２（Ｂ）に示す広告文字コンテンツリストでは、楽曲ＩＤ“ＷＷＷ”には、広告文字コンテンツ５１、５２及び広告文字コンテンツ５４が関連付けられている。一方、再生中の楽曲と関連する広告の文字テロップを含む広告文字コンテンツが関連付けられていないと判断された場合（ステップＳ４９：ＮＯ）、ステップＳ４６へ進む。
【００８１】
ステップＳ５０では、制御部３１は、広告文字コンテンツリストを参照して、ステップＳ４９で楽曲に関連付けられていると判断された広告文字コンテンツに対して、ステップＳ４１で取得された所在地情報が示す所在地を地域内に含む対象地域が関連付けられているか否かを判定する。広告文字コンテンツリストにおいて広告文字コンテンツに上記所在地情報が示す所在地を地域内に含む対象地域が関連付けられていると判定された場合（ステップＳ５０：ＹＥＳ）、ステップＳ５１へ進む。例えば、所在地情報が示す所在地が“愛知”であるとすると、図２（Ｂ）に示す広告文字コンテンツリストでは、広告文字コンテンツ５２に、上記所在地情報が示す所在地を地域内に含まない対象地域“岐阜”が関連付けられている。このため、広告文字コンテンツ５２は、ステップＳ５０の判定条件を満たさない。一方、図２（Ｂ）に示す広告文字コンテンツリストにおいて、広告文字コンテンツ５４は全地域が関連付けられていることを示す。一方、広告文字コンテンツリストにおいて広告文字コンテンツに上記所在地情報が示す所在地を地域内に含む対象地域が関連付けられていないと判定された場合（ステップＳ５０：ＮＯ）、ステップＳ４６へ移行する。
【００８２】
なお、上記ステップＳ５０では、所在地情報が示す所在地を地域内に含む対象地域が関連付けられているか否かを判定するように構成した。しかし、上記ステップＳ２６と同様、所在地情報が示す所在地から所定の距離範囲内に存在する対象地域が関連付けられているか否かを判定するように構成してもよい。また、ステップＳ５０において判定対象となる対象地域は、上記ステップＳ２６と同様、広告文字コンテンツの広告テロップに含まれる地名から特定されるように構成してもよい。
【００８３】
ステップＳ５１では、制御部３１は、カラオケ装置２によりディスプレイに現在表示されている背景映像が、カラオケ装置２により再生中の楽曲の歌手に関連する関連映像であるか否かを判断する。例えば、制御部３１は、予約リストにおいて再生フラグ“１”が対応付けられた楽曲ＩＤに、関連映像フラグ“１”が対応付けられていない場合、上記背景映像が関連映像でないと判断される。例えば、図２（Ａ）に示す予約リストにおいて楽曲ＩＤ“ＷＷＷ”には、関連映像フラグ“１”が対応付けられていないので、上記背景映像が関連映像でないと判断される。カラオケ装置２によりディスプレイに表示されている背景映像が関連映像でないと判断された場合（ステップＳ５１：ＮＯ）、ステップＳ５２へ進む。カラオケ装置２によりディスプレイに表示されている背景映像が関連映像であると判断された場合（ステップＳ５１：ＹＥＳ）、ステップＳ４６へ移行する。つまり、カラオケ装置２によりディスプレイに表示されている背景映像が関連映像である場合、広告表示端末３は広告文字コンテンツを表示しない。
【００８４】
ステップＳ５２では、制御部３１は、カラオケ装置２により再生中の楽曲の楽曲ＩＤに関連付けられた関連映像楽曲ＩＤと一致する楽曲ＩＤに対応付けられて記憶部３２に記憶されている背景映像データを取得する。そして、制御部３１は、取得した背景映像データを用いて、再生中の楽曲の歌手に関連する関連映像をディスプレイに表示させると共に、表示された関連映像に広告文字コンテンツの文字テロップを重ねて表示させる。
【００８５】
ステップＳ５３では、制御部３１は、電源オフ指令があったか否かを判定する。電源オフ指令があったと判定された場合（ステップＳ５３：ＹＥＳ）、図５に示す処理を終了する。電源オフ指令がないと判定された場合（ステップＳ５３：ＮＯ）、ステップＳ４２に戻る。
【００８６】
以上説明したように、上記実施形態によれば、カラオケ装置２は、広告文字コンテンツリストに基づいて、再生される楽曲に広告文字コンテンツが関連付けられていると判断し、且つ、再生される楽曲に従って表示される背景映像が再生される楽曲の歌手に関連する関連映像であると判断した場合、この関連映像に広告文字コンテンツの文字テロップを重ねて表示させるように構成した。再生される楽曲の歌手に関連する関連映像が表示されているときに、この楽曲に関連する文字テロップが表示されるため、ユーザに対し文字テロップに注目させることができ、広告文字コンテンツによる広告対象の広告効果を高めることができる。
【００８７】
また、上述したように、広告文字コンテンツにカラオケ装置２等の所在地を特定した広告テロップが含まれている場合に限り、上記関連映像に上記所在地を特定した広告テロップを重ねて表示させるように構成してもよい。この構成によれば、例えばカラオケ店舗の所在地付近の情報のみ文字テロップで表示するので、例えばカラオケ店舗のユーザにマッチした広告情報をユーザへ提示することができる。また、例えばカラオケ店舗の所在地付近の地域以外の情報は表示されないので、無駄な情報をユーザに提示することを避けることができる。そのため、ユーザにとってより有用な多くの広告情報をユーザへ提示することができる。
【００８８】
なお、上記実施形態においては、広告表示端末３がステップＳ４９〜５１の処理を行うように構成したが、ステップＳ４９〜５１の処理を行わないように構成してもよい。この場合、カラオケ装置２の制御部２１は、ステップＳ２７において、予約された楽曲の背景映像がこの楽曲の歌手に関連する関連映像でないと判断した場合（ステップＳ２７：ＮＯ）、関連映像及び文字テロップの表示を指示する表示指示情報を送信する。そして、広告表示端末３の制御部３１は、カラオケ装置２から表示指示情報を受信した場合に、楽曲の再生を条件としてステップＳ５２の処理を実行する。つまり、カラオケ装置２の制御部２１は、カラオケ装置２に接続されたディスプレイに表示された背景映像が再生される楽曲の関連映像であると判断せず（言い換えれば、汎用映像であると判断し）、且つ再生される楽曲の広告文字コンテンツが関連付けられていると判断した場合、汎用映像が表示されているディスプレイ（第１表示部）とは異なるディスプレイ（第２表示部）に上記関連映像を表示させると共に、表示された関連映像に広告文字コンテンツの文字テロップを重ねて表示させる。これにより、ユーザに対し、再生される楽曲の歌手に関連する関連映像を利用して文字テロップに注目させることができ、広告文字コンテンツによる広告対象の広告効果を高めることができる。なお、関連映像及び文字テロップが表示されるディスプレイ（第２表示部）は、広告表示端末２に接続されるディスプレイとしたが、その他のディスプレイであっても構わない。
【００８９】
また、上記実施形態においては、広告表示端末３は、カラオケ装置２から予約リストを取得するように構成した。しかし、ステップＳ４７で予約リストの代わりに再生中の楽曲の楽曲ＩＤを含む曲情報をカラオケ装置２から取得するように構成してもよい。この場合、上記ステップＳ４８〜Ｓ５２の処理では、カラオケ装置２から取得された曲情報が含む楽曲ＩＤが用いられる。
【００９０】
また、上記実施形態においては、カラオケ装置２は、再生中の楽曲に関連付けられた広告文字コンテンツの文字テロップを表示させるように構成した。しかし、楽曲が予約された段階で、予約された楽曲に関連付けられた広告文字コンテンツの文字テロップを表示させるように構成してもよい。これにより、広告文字コンテンツの文字テロップを曲が再生されるまでの長い間表示できるため、より高い広告効果を期待することができる。なお、この場合、楽曲の再生が開始され、カラオケ装置２が関連映像を表示させるまでの間、広告表示端末３が関連映像を表示すると共に表示された関連映像に広告文字コンテンツの文字テロップを重ねて表示させる。
【００９１】
また、上記実施形態においては、本発明のシステムをカラオケシステムに適用した場合の例について説明したが、カラオケシステム以外の例えば広告配信システムに対して適用することも可能である。
【符号の説明】
【００９２】
１  選曲装置
２  カラオケ装置
３  広告表示端末
４  管理サーバ
４１  制御部
４２  記憶部
４３  通信部
【図１】
2014048518.tif 000003
【図２】
2014048518.tif 000004
【図３】
2014048518.tif 000005
【図４】
2014048518.tif 000006
【図５】
2014048518.tif 000007